(57)【要約】【課題】機器の信頼性を高め、且つ安価な構成を実現すること。【解決手段】本体外部から受ける磁力に応じて動作する第１のスイッチ２をオンまたはオフすることによって制御手段３および加熱手段４への商用電源１の供給または遮断を行う構成とすることによって、図示してないトッププレート上（機器内部の第１のスイッチ２直上）に図示してない磁石を配置することで機器内部に備えた第１のスイッチ２が動作し、制御手段３および加熱手段４への電源の供給または遮断が行えるものである。【選択図】図１
2006202530.tif 000002
【特許請求の範囲】
【請求項１】
被加熱物を載置するトッププレートと、本体外部から受ける磁力に応じて動作する前記トッププレート下に配置された第１のスイッチと、機器の動作を制御する制御手段と、前記被加熱物を加熱する加熱手段とを備え、前記第１のスイッチがオンまたはオフされることによって前記制御手段および前記加熱手段への商用電源の供給または遮断を行う構成とした誘導加熱調理器。
【請求項２】
第１のスイッチ近傍に位置するトッププレートの裏面側に金属板を取り付ける構成とした請求項１に記載の誘導加熱調理器。
【請求項３】
商用電源遮断後も電源遮断前の最終動作が記憶される記憶手段を備えた請求項１または２に記載の誘導加熱調理器。
【請求項４】
制御手段によってオンまたはオフされる第２のスイッチを備え、制御手段は前記第２のスイッチを介して商用電源に接続される第２の電源経路を有する構成とした請求項１〜３のいずれか１項に記載の誘導加熱調理器。
【請求項５】
第１のスイッチのオンまたはオフを報知する報知手段を備えた請求項１〜４のいずれか１項に記載の誘導加熱調理器。
【発明の詳細な説明】
【技術分野】
【０００１】
本発明は、一般家庭及び業務用として使用される誘導加熱調理器に関するものである。
【背景技術】
【０００２】
従来、この種の誘導加熱調理器は、使用者によって操作可能な電源スイッチには、ロッカースイッチなどに代表されるような機械的に連動するように構成されたスイッチが使用されていた（例えば、特許文献１参照）。
【０００３】
図４は、従来の誘導加熱調理器の構成図を示すものである。図４に示すように、加熱部２４の一方の入力端子は電源スイッチ２１を介して、他方の入力端子はヒューズ２８を介して商用電源２０に接続されている。加熱部４４は同様に電源スイッチ４１を介して、他方の入力端子はヒューズ４８を介して商用電源に接続される。電源スイッチ２１と電源スイッチ４１は機械的に連動するように構成され、１部品化（１スイッチ化）されている。また、制御部２５に制御用の平滑された直流電源を供給するためにスイッチング電源２６ａを有する電源回路２６が設けられており、電源回路２６のコモン電位は制御部２５のコモン電位と同一電位とし、電源回路２６の他の入力端子には整流器２２ａおよび整流器２２ｂからなる整流手段２２と整流手段３２のカソード側が接続される。整流器２２ａのアノードは電源スイッチ２１の負荷側端子に、整流器２２ｂのアノードはヒューズ２８の電源側端子に、整流手段３２のアノード側はリレー３１の一方の接点に接続される。リレー３１の他方の接点は電源スイッチ２１の電源側端子に接続される。また、リレー３１の制御端子は制御部２５に接続される。この構成により、電源スイッチ２１（または４１）をオンすると加熱部２４および電源回路２６に商用電源の供給が開始され、また電源スイッチ２１（または４１）をオフするとリレー３１を開いて電源回路２６への電力供給を遮断するようにして、加熱部２４への電力供給を遮断した後でも制御部２５によるファンモータの駆動、使用者への報知動作などの制御を可能とし、かつ制御動作が不要となった時点で制御部２５への電力が断たれ、低消費電力で、かつ安価で信頼性の高い誘導加熱調理器が得られるというものである。
【特許文献１】特開２０００−２６２４０１号公報
【発明の開示】
【発明が解決しようとする課題】
【０００４】
しかしながら、前記従来の構成では、電源スイッチ２１（または４１）は機器に埋め込む構成であるために微小な隙間が生じてしまい、異物（液体）が内部に侵入して機器の誤動作を起こす場合があった。また、電源スイッチ２１（または４１）の機器への埋め込みのための穴加工も必要であり、コスト的にも安価とは言い難いものであった。また、この電源スイッチ２１（または４１）は特に機器から離れた位置からはその動作状態を確認し難いため、誤って電源スイッチ２１（または４１）をオンしたまま機器を離れた場合には気付くのが遅れて無駄な電力を消費してしまうといった複数の課題を有していた。
【０００５】
本発明は、前記従来の課題を解決するもので、異物（液体）の機器内部への侵入を防止して機器の誤動作をなくすとともに安価な構成を実現し、また、機器から離れた位置からも機器の動作状態を把握し易くして無駄な電力消費をなくすことを目的とする。
【課題を解決するための手段】
【０００６】
前記従来の課題を解決するために、本発明の誘導加熱調理器は、被加熱物を載置するトッププレートと、本体外部から受ける磁力に応じて動作する前記トッププレート下に配置された第１のスイッチと、機器の動作を制御する制御手段と、被加熱物を加熱する加熱手段とを備え、前記第１のスイッチがオンまたはオフされることによって前記制御手段および前記加熱手段への商用電源の供給または遮断を行う構成としたものである。
【０００７】
これによって、トッププレート上（機器内部の第１のスイッチ直上）に磁石などを配置することで機器内部に備えた第１のスイッチが動作し、制御手段および加熱手段への商用電源の供給または遮断が行えるものである。よって従来構成には必要であった電源スイッチを機器に埋め込む構成は本発明では不要であるため、異物（液体）が機器内部に侵入する隙間は発生せず、よって機器の誤動作をなくすことができる。且つ穴加工費を削減した安価な構成が実現できる。また、機器使用後は磁石を取り外すため、機器から離れた位置からも機器の動作状態を把握し易くして無駄な電力消費をなくすことが可能となる。
【発明の効果】
【０００８】
本発明の誘導加熱調理器は、機器の信頼性を高め、且つ安価な構成を実現した誘導加熱調理器を提供することができる。
【発明を実施するための最良の形態】
【０００９】
第１の発明は、被加熱物を載置するトッププレートと、本体外部から受ける磁力に応じて動作する前記トッププレート下に配置された第１のスイッチと、機器の動作を制御する制御手段と、被加熱物を加熱する加熱手段とを備え、前記第１のスイッチがオンまたはオフされることによって前記制御手段および前記加熱手段への商用電源の供給または遮断を行う構成とすることにより、トッププレート上（機器内部の第１のスイッチ直上）に磁石などを配置することで機器内部に備えた第１のスイッチが動作し、制御手段および加熱手段への商用電源の供給または遮断が行えるものである。よって従来構成には必要であった電源スイッチを機器に埋め込む構成は本発明では不要であるため、異物（液体）が機器内部に侵入する隙間は発生せず、よって機器の誤動作をなくすことができる。且つ穴加工費を削減した安価な構成が実現できる。また、機器使用後は磁石を取り外すため、磁石の有無によって機器から離れた位置からも機器の動作状態を把握し易くして無駄な電力消費をなくすことが可能となる。
【００１０】
第２の発明は、特に、第１の発明に、第１のスイッチ近傍に位置するトッププレートの裏面側に金属板を取り付ける構成とすることにより、絶縁物であるトッププレートを介した状態においても磁石配置時の保持力を強化することができ、さらに、第１のスイッチの接点も保持されるので、使用者による磁石の取り外し以外での誤った制御手段および加熱手段への商用電源の遮断を防止することが可能となる。
【００１１】
第３の発明は、特に、第１または第２の発明に、商用電源遮断後も商用電源遮断前の最終動作が記憶される記憶手段を備えた構成とすることにより、例えば自動調理中などに誤って磁石が外れてしまい制御手段および加熱手段への電源供給が遮断してしまった場合にも、記憶手段によって最終動作状態を記憶することにより、使用者が磁石を置き直して再度自動調理を開始した場合には電源遮断前の最終動作からの再開が可能となる。
【００１２】
第４の発明は、特に、第１〜３の発明に、制御手段によってオンまたはオフされる第２のスイッチを備え、制御手段は前記第２のスイッチを介して商用電源に接続される第２の電源経路を有する構成とすることにより、磁石を取り外して第１のスイッチをオフした後にも第２のスイッチのオンを継続することによって、制御手段によるファンモータの駆動、使用者への報知動作等の制御を可能とし、且つ制御動作が不要となった時点で第２のスイッチをオフすることで制御手段への電源供給が遮断されるため、低消費電力で、且つ信頼性の高い誘導加熱調理器を提供することが可能となる。
【００１３】
第５の発明は、特に、第１〜４の発明に、第１のスイッチのオンまたはオフを報知する報知手段を備えることにより、磁石の着脱による機器の動作状態について視覚的または聴覚的に認識することができ、機器の誤操作を防止することが可能となる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における誘導加熱調理器の構成図、図２は本発明における第１のスイッチの構成図をそれぞれ示すものである。
【００１６】
図１において、商用電源１、本体外部から受ける所定の磁力によって接点が動作するトッププレート下（本体内部）の距離に配置された第１のスイッチ２、機器の動作を制御するマイクロコンピュータを有した制御手段３、ラジェントやロースタなどの被加熱物を加熱する加熱手段４、加熱手段４への通電をオンまたはオフする第３のスイッチ５、およびＥＥＰＲＯＭなどの不揮発性の記憶手段６である。
【００１７】
また、図２において、図示してない鍋などの被加熱物を載置するためのトッププレート７、トッププレート７の裏面側（本体内部）に取り付けられた金属板８、本体外部から受ける磁力によって動作するトッププレート下（本体内部）に配置された第１のスイッチ２、および第１のスイッチ２をオンまたはオフするための磁石９であり、磁石９は使用者によって着脱可能である。更に、第１のスイッチ２は、商用電源１に接続された接点２ａ、制御手段３および加熱手段４に接続された接点２ｂ、および接点２ａ、接点２ｂへの接触面以外を磁石で囲まれた接点２ｃから構成されるものである。なお、第１のスイッチ２の動作状態については報知手段１０によって報知される。
【００１８】
以上のように構成された誘導加熱調理器について、以下その動作、作用を説明する。従来の構成におけるロッカースイッチなどの電源スイッチと同じ役割、つまり制御手段３および加熱手段４への商用電源１の供給または遮断を行うために、本発明では第１のスイッチ２と磁石９を用いた構成としており、その動作状態は従来と同様にオンまたはオフの２つのパターンが存在する。図２（ａ）はオフ状態を、図２（ｂ）はオン状態をそれぞれ表示するものである。まず、オフ状態について説明する。図２（ａ）のとおり、オフ状態では磁石はトッププレートから取り外されているため、接点２ｃは動作しない（自重により接点２ａより下方に位置している）。よって接点２ａおよび２ｂは接点２ｃを介して接続されないため、商用電源１は制御手段３および加熱手段４に対して遮断された状態となる。またこのとき報知手段１０は消灯状態とする。次にオン状態について説明する。ここでは磁石９はＮ極性を有するものとして説明する。図２（ｂ）のとおり、トッププレート７上（但し、第１のスイッチ２の直上であること）に磁石９を置くと、トッププレート７の裏面側（本体内部）に取り付けられた金属板８は磁石９によって磁力を帯びる。具体的にはトッププレート７との接触面側には磁石９の対極性、すなわちＳ極性を、第１のスイッチ２側にはＮ極性をそれぞれ帯びる。これによって接点２ｃを取り囲む磁石は金属板８の第１のスイッチ２側に帯びた極性の対極性、すなわちＳ極性を有するため、金属板８と接点２ｃを取り囲む磁石は互いに吸着しあう。よって図２（ｂ）のとおり、接点２ａおよび２ｂは接点２ｃを介して接続される。すなわち商用電源１が制御手段３および加熱手段４に対して供給されることになる。このとき報知手段１０は点灯状態とし、第１のスイッチ２がオン状態であることを使用者に伝達する。上記によって従来の電源スイッチと同様のオンまたはオフ動作が実現可能となる。また、使用者が磁石９を取り除くと、第１のスイッチの接点２ｃの他の接点２ａ、２ｂとの接触面及び金属板の磁性がなくなり、接点２ｃの自重により接点２ｃは、図２（ａ）の位置に戻り、第１のスイッチの接続は遮断される。
【００１９】
なお、接点２ｃの自重に替えてバネやゴム等の弾性により接点２ｃを移動しても同様の動作が可能である。
【００２０】
上記第１のスイッチ２の動作によって制御手段３および加熱手段４への商用電源１の供給を開始して、自動調理などの動作を開始した場合に、例えば鍋ずれなどによって誤って磁石９が取り除かれて商用電源１が遮断されてしまった場合においても、図１に示すとおり、制御手段３はＥＥＰＲＯＭなどに代表される不揮発性の記憶手段６を有しており、商用電源１が遮断される直前の調理工程を記憶することによって、使用者によって磁石が置き直されて再度自動調理が選択された場合には、商用電源１が遮断される直前の調理工程から調理を再開できる。
【００２１】
以上のように、本実施の形態においては、本体外部から受ける磁力によって動作する第１のスイッチ２をオンまたはオフすることによって制御手段３および加熱手段４への商用電源１の供給または遮断を行う構成とすることによって、トッププレート７上（機器内部の第１のスイッチ２直上）に磁石９を配置することで機器内部に備えた第１のスイッチ２が動作し、制御手段３および加熱手段４への商用電源１の供給または遮断が行えるものである。よって従来構成には必要であった電源スイッチを機器に埋め込む構成は本発明では不要あるため、異物（液体）が機器内部に侵入する隙間は発生せず、よって機器の誤動作をなくすことができる。且つ穴加工費を削減した安価な構成が実現できる。また、機器使用後は磁石９を取り外すため、磁石の有無によって機器から離れた位置からも機器の動作状態を把握し易くして無駄な電力消費をなくすことが可能となる。
【００２２】
また、本実施の形態においては、第１のスイッチ２の近傍に位置するトッププレート７の裏面側に金属板８を取り付ける構成とすることによって、絶縁物であるトッププレート７を介した状態においても磁石９配置時の保持力を強化することができ、よって使用者による磁石９の取り外し以外での誤った制御手段および加熱手段への商用電源の遮断を防止することが可能となる。
【００２３】
また、本実施の形態においては、商用電源１遮断後も最終動作が記憶される記憶手段６を備えた構成とすることによって、例えば自動調理中などに誤って磁石９が外れてしまい制御手段３および加熱手段４への電源供給が遮断してしまった場合にも、商用電源１が遮断される直前の調理工程を記憶手段６によって記憶することにより、使用者によって磁石９が置き直されて再度自動調理が選択された場合には、商用電源１が遮断される直前の調理工程から調理を再開することが可能となる。
【００２４】
また、本実施の形態においては、第１のスイッチ２のオンまたはオフを報知する報知手段１０を備えることにより、磁石の着脱による機器の動作状態について視覚的に認識することが容易であり、よって機器の誤操作を防止することが可能となる。
【００２５】
なお、本実施の形態においては、第１のスイッチ２のオンまたはオフを報知する報知手段１０についてＬＥＤなどの視覚的に認識する手段によって説明したが、ブザーなどの聴覚的に認識する手段、すなわち第１のスイッチ２のオンまたはオフに応じてブザーを報知した場合にも同等の効果が得られることは言うまでもない。
【００２６】
（実施の形態２）
図３は、本発明の第２の実施の形態における誘導加熱調理器の構成図を示すものである。構成については実施の形態１とほぼ同様であり、新たに一方の接点を商用電源１に他方を制御手段３に接続され、且つ制御手段３によってオンまたはオフされる第２のスイッチ１１が追加されている。
【００２７】
以上のように構成された誘導加熱調理器について、以下その動作、作用を説明する。第１のスイッチ２のオンまたはオフの動作原理については実施の形態１と同様であり、説明は省略する。使用者によって磁石９が置かれて第１のスイッチ２がオンすると、制御手段３および加熱手段４には商用電源１が供給される。すると、電源供給を受けた制御手段３は動作を開始し、第２のスイッチ１１をオンさせる。よって、制御手段３には第１のスイッチ２を介する第１の電源経路とは異なった、第２のスイッチ１１を介する第２の電源経路からも同様に電源供給を受ける構成となる。また、磁石９を取り除いて第１のスイッチ２をオフとした場合には、制御手段３は第２のスイッチ１１のオンを継続させることによって、第２のスイッチ１１を介する第２の電源経路から継続して電源供給がなされるため、冷却ファンモータの駆動や使用者への報知動作などの制御を引き続き行うことが可能となり、且つ制御動作が不要となった時点で第２のスイッチ１１をオフすることで制御手段３への電源供給を遮断する。
【００２８】
以上のように、本実施の形態においては、制御手段３によってオンまたはオフされる第２のスイッチ１１を介して商用電源１に接続される第２の電源経路を有する構成とすることによって、磁石９を取り外して第１のスイッチ２をオフした後にも第２のスイッチ１１のオンを継続することによって、制御手段３によるファンモータの駆動、使用者への報知動作等の制御を可能とし、且つ制御動作が不要となった時点で第２のスイッチ１１をオフすることで制御手段３への電源供給が遮断されるため、低消費電力で、且つ信頼性の高い誘導加熱調理器を提供することが可能となる。
【産業上の利用可能性】
【００２９】
以上のように、本発明にかかる誘導加熱調理器は、トッププレート上（機器内部の第１のスイッチ直上）に磁石を置くことで第１のスイッチが動作して、制御手段および加熱手段への商用電源の供給および磁石を取り外すことで遮断が行えるので、トッププレートを有す加熱機器等の用途にも適用できる。
【図面の簡単な説明】
【００３０】
【図１】本発明の実施の形態１における誘導加熱調理器の構成図
【図２】（ａ）本発明における第１のスイッチのオフ状態の構成図（ｂ）同オン状態の構成図
【図３】本発明の実施の形態２における誘導加熱調理器の構成図
【図４】従来の誘導加熱調理器の構成図
【符号の説明】
【００３１】
１  商用電源
２  第１のスイッチ
３  制御手段
４  加熱手段
５  第３のスイッチ
６  記憶手段
７  トッププレート
８  金属板
９  磁石
１０  報知手段
１１  第２のスイッチ
【図１】
2006202530.tif 000003
【図２】
2006202530.tif 000004
【図３】
2006202530.tif 000005
【図４】
2006202530.tif 000006